(57)【要約】【課題】所持者に意識させること無く、個人情報の表示・非表示の切り替えを実行し、個人情報が漏洩するリスクを有効に軽減し得るＩＤカード及びその表示切り替え方法，プログラムを提供する。【解決手段】ＩＤカード１は、所持者の氏名を含む個人情報を記憶した表示用情報記憶部１１と、この個人情報を表示する表示部１２と、測位衛星から発信される測位用信号を順次受信する衛星信号受信機１３と、この受信信号に基づいて現在位置を演算する現在位置演算手段１４と、この現在位置が予め設定された特定エリア内にあるか否かを判定するエリア判定手段１５と、この判定結果に基づいて表示部１２の表示を切替制御する表示切替手段１７とを備え、この表示切替手段１７は、現在位置が特定エリア内にあると判定された場合に個人情報を表示部１２に表示すると共に当該特定エリア内にないと判定された場合には個人情報を非表示にする機能を備えている。【選択図】図１
2011175388.tif 000002
【特許請求の範囲】
【請求項１】
所持者の氏名を含む個人情報を記憶した表示用情報記憶部と、この個人情報を表示する表示部とを備えたＩＤカードであって、
前記個人情報の提示が必要な場所として予め設定された特定エリアの位置情報を記憶した表示条件記憶部と、
測位衛星から発信される信号を順次受信する衛星信号受信機と、
この受信機に受信された信号に基づいて当該受信機の現在位置を演算する現在位置演算手段と、
この現在位置が前記特定エリアの位置情報と一致するか否かを判定するエリア判定手段と、
この判定結果に基づいて前記表示部の表示を切替制御する表示切替手段とを備え、
前記表示切替手段は、前記現在位置が前記特定エリアの位置情報と一致した場合に前記個人情報を前記表示部に表示すると共に前記現在位置が前記特定エリアの位置情報と一致しなかった場合には前記個人情報を非表示にする機能を備えたことを特徴とするＩＤカード。
【請求項２】
前記請求項１に記載のＩＤカードにおいて、
前記表示用情報記憶部は、前記特定エリア以外の場所で前記表示部に表示する情報として前記個人情報と関係の無い他の情報を予め記憶する機能を備え、
前記表示切替手段は、前記個人情報を非表示にする際に、前記個人情報と関係の無い他の情報を表示部に表示する機能を備えたことを特徴とするＩＤカード。
【請求項３】
前記請求項２に記載のＩＤカードにおいて、
前記表示条件記憶部に記憶された前記特定エリアの位置情報をオペレータからの入力に基づいて更新する更新制御手段を備えたことを特徴とするＩＤカード。
【請求項４】
前記請求項３に記載のＩＤカードにおいて、
前記衛星信号受信機及び現在位置演算手段に代えて、現在の時刻を示す時計部を備え、
前記表示条件記憶は、前記特定エリアの位置情報に代えて、前記所持者が前記特定エリア内に居る予定の時間帯として予め設定された特定の時間帯を示す情報を記憶する機能を備え、
前記エリア判定手段は、前記現在時刻が前記特定の時間帯になったか否かを判断する機能と、その判断結果から現在位置が前記特定エリア内であるか否かを判定する機能を備えたことを特徴とするＩＤカード。
【請求項５】
所持者の氏名を含む個人情報を表示するＩＤカードにあって、
測位衛星から発信される信号を順次受信しこの受信信号に基づいて現在位置を演算し、
この現在位置が予め設定された特定エリアの位置情報と一致するか否かを判定し、
前記現在位置が前記特定エリアの位置情報と一致した場合に前記個人情報を表示し、
前記現在位置が前記特定エリアの位置情報と一致しなかった場合には前記個人情報を非表示にすることを特徴とする表示切替方法。
【請求項６】
前記請求項５に記載の表示切替方法において、
前記個人情報を非表示にする際に、当該前記個人情報と関係の無い他の情報を表示することを特徴とする表示切替方法。
【請求項７】
前記請求項６に記載の表示切替方法において、
測位衛星からの信号を受信して現在位置を演算しこの現在位置が前記特定エリアの位置情報と一致するか否かを判定する代わりに、前記所持者が前記特定エリア内に居る予定の時間帯として設定された特定の時間帯になったか否かを判断しその判断結果から現在位置が前記特定エリア内であるか否かを判定することを特徴とする表示切替方法。
【請求項８】
所持者の氏名を含む個人情報を画面に表示するＩＤカードの表示切替動作を制御するコンピュータに、
前記ＩＤカードに内蔵された受信機が測位衛星から受信した信号に基づいて当該受信機の現在位置を演算する現在位置演算機能と、
この現在位置が予め設定された特定エリアの位置情報と一致するか否かを判定する判定機能と、
前記現在位置が前記特定エリアの位置情報と一致した場合に前記個人情報を表示すると共に前記現在位置が前記特定エリアの位置情報と一致しなかった場合に前記個人情報を非表示にする表示切替機能とを実行させることを特徴とする表示切替用プログラム。
【請求項９】
前記請求項８に記載の表示切替用プログラムにおいて、
前記表示切替機能は、前記個人情報を非表示にする際に、当該前記個人情報と関係の無い他の情報を表示する機能であることを特徴とする表示切替用プログラム。
【請求項１０】
前記請求項９に記載の表示切替用プログラムにおいて、
前記現在位置演算機能及び判定機能に代えて、
現在の時刻を示す時計機能と、前記所持者が前記特定エリア内に居る予定の時間帯として設定された特定の時間帯になったか否かを判断しこの判断結果から現在位置が特定エリア内であるか否かを判定する判定機能とを、前記コンピュータに実行させることを特徴とする表示切替用プログラム。
【発明の詳細な説明】
【技術分野】
【０００１】
本発明は、所持者の氏名などが表示されたＩＤカードに関し、特に、表示内容を切り替え可能なＩＤカード及びその表示切替方法，プログラムに関する。
【背景技術】
【０００２】
所持者の氏名や所属先を表示したＩＤカードとして、入館証，社員証，学生証，名札などが知られているが、通常のＩＤカードは、所持者の個人情報を表面にプリントしたものであったため、想定外に第三者へ個人情報が漏洩したり、紛失の際に悪用されたりする問題があった。特に、児童の名札から、その児童の氏名が不特定多数の第三者に知られると、児童の氏名が悪用される確率が高くなってしまうと懸念されていた。
【０００３】
この問題に対し、特許文献１及び２には、表示内容を切り換えることができるＩＤカードに関連する技術が開示されている。特許文献１には、ＩＤカードにおいて、本体の上下左右の向きをセンサで検出し、その本体の向きに応じて表示内容を切り換えることで、所持者がＴＰＯに応じて表示内容を変えることが開示されている。特許文献２には、ＩＤカードにおいて、パスワード認証後の所定時間の間だけ個人情報を表示することが開示されている。
【０００４】
しかし、この特許文献１及び２に開示された技術では、所持者からの操作を受けてからそれに応じて表示を切り換えるという仕組みなので、表示を切り換えるためには所持者の積極的な操作が必要であり、所持者に負担がかかってしまうという問題があった。また、特許文献１の技術は、所持者による操作が無い限り表示を切り替えないので、所持者が表示切替の操作を忘れてしまうと、個人情報が表示されたままになってしまうという問題があった。
【０００５】
これらの問題を鑑みて、特許文献３にＩＤカードに関連する技術が開示されている。この特許文献３に記載の関連技術は、ＩＤカードが通信ゲートとの通信により表示情報を受信して表示を切り換えるというもので、施設の玄関に通信ゲートを設け、カードが通信ゲート付近を通って施設外に出ると、そのカードに表示されていた個人情報を非表示にする。
【先行技術文献】
【特許文献】
【０００６】
【特許文献１】特開２００８−２１７２８４号公報
【特許文献２】特開２００９−２６０５９号公報
【特許文献３】特開２００９−７０３１３号公報
【発明の概要】
【発明が解決しようとする課題】
【０００７】
しかしながら、特許文献３に開示された関連技術では、所持者に意識させること無く、ＩＤカードの表示を自動的に切り換えることは可能になるが、表示を切り替えさせる場所に通信ゲートなどの大掛かりな機器を事前に設置しなくては成らないので、多大なコストと労力がかかるという問題があった。
【０００８】
そこで、本発明は、上記関連技術が有する問題を解決し、コストを抑えながら、所持者の個人情報が第三者に漏洩するリスクを有効に軽減できるＩＤカード及びその表示切替方法，プログラムを提供することを、その目的とする。
【課題を解決するための手段】
【０００９】
上記目的を達成するため、本発明のＩＤカードは、所持者の氏名を含む個人情報を記憶した表示用情報記憶部と、この個人情報を表示する表示部とを備えたＩＤカードであって、前記個人情報の提示が必要な場所として予め設定された特定エリアの位置情報を記憶した表示条件記憶部と、測位衛星から発信される信号を順次受信する衛星信号受信機と、この受信機に受信された信号に基づいて当該受信機の現在位置を演算する現在位置演算手段と、この現在位置が前記特定エリアの位置情報と一致するか否かを判定するエリア判定手段と、この判定結果に基づいて前記表示部の表示を切替制御する表示切替手段とを備え、前記表示切替手段は、前記現在位置が前記特定エリアの位置情報と一致した場合に前記個人情報を前記表示部に表示すると共に前記現在位置が前記特定エリアの位置情報と一致しなかった場合には前記個人情報を非表示にする機能を備えたことを特徴とする。
【００１０】
また、本発明の表示切替方法は、所持者の氏名を含む個人情報を表示するＩＤカードにあって、測位衛星から発信される信号を順次受信しこの受信信号に基づいて現在位置を演算し、この現在位置が予め設定された特定エリアの位置情報と一致するか否かを判定し、前記現在位置が前記特定エリアの位置情報と一致した場合に前記個人情報を表示し、前記現在位置が前記特定エリアの位置情報と一致しなかった場合には前記個人情報を非表示にすることを特徴とする。
【００１１】
また、本発明の表示切替用プログラムは、所持者の氏名を含む個人情報を画面に表示するＩＤカードの表示切替動作を制御するコンピュータに、前記ＩＤカードに内蔵された受信機が測位衛星から受信した信号に基づいて当該受信機の現在位置を演算する現在位置演算機能と、この現在位置が予め設定された特定エリアの位置情報と一致するか否かを判定する判定機能と、前記現在位置が前記特定エリアの位置情報と一致した場合に前記個人情報を表示すると共に前記現在位置が前記特定エリアの位置情報と一致しなかった場合に前記個人情報を非表示にする表示切替機能とを実行させることを特徴とする。
【発明の効果】
【００１２】
本発明のＩＤカード及びその表示切替方法，表示切替用プログラムは、以上のように構成したため、これにより、通信ゲートなどの大掛かりな外部機器を設けなくても、内部処理で現在位置を特定し、現在位置が特定エリア内にない場合には個人情報を非表示にするので、必要な場所以外では所持者に意識させること無く個人情報を非表示に切り替えることができ、コストを抑えながらも個人情報の漏洩リスクを有効に軽減し、社会全体のセキュリティ向上を図ることができる。
【図面の簡単な説明】
【００１３】
【図１】本発明に係る第１実施形態のＩＤカードの概略構成を示す機能ブロック図である。
【図２】図１に開示した実施形態のＩＤカードの表示画面の一例を示す図であり、（Ａ）は個人情報を表示したときの画面の一例を示す図であり、（Ｂ）は個人情報を非表示にしたときの画面の一例を示す図である。
【図３】図１に開示した実施形態のＩＤカードの動作を示すフローチャートである。
【図４】本発明に係る第２実施形態のＩＤカードの概略構成を示す機能ブロック図である。
【図５】図４に開示した実施形態のＩＤカードの動作を示すフローチャートである。
【発明を実施するための形態】
【００１４】
以下、本発明にかかる一実施形態を、図面に基づいて説明する。
【００１５】
［第１実施形態］
図１は、本発明の第１実施形態のＩＤカード１の概略構成を示す機能ブロック図である。本第１実施形態のＩＤカード１の基本構成は、所持者の氏名を含む個人情報を記憶した表示用情報記憶部１１と、この個人情報を表示する表示部１２と、個人情報の提示が必要な場所として予め設定された特定エリアの位置情報を記憶した表示条件記憶部１６と、測位衛星から発信される無線信号を順次受信する衛星信号受信機１３と、この受信信号に基づいて受信機１３の現在位置を演算する現在位置演算手段１４と、この現在位置が予め設定された特定エリアの位置情報と一致するか否かを判定するエリア判定手段１５と、この判定結果に基づいて表示部１２の表示を切替制御する表示切替手段１７とを備えた構成であり、この表示切替手段１７は、現在位置が特定エリアの位置情報と一致した場合に個人情報を表示部１２に表示する機能と、現在位置が特定エリアの位置情報と一致しなかった場合には個人情報を非表示にする機能とを備えている。
【００１６】
所持者の個人情報としては、氏名，顔写真，所属先情報（会社名，学校名，所属団体の電話番号など）などがあり、本第１実施形態のＩＤカード１は、入館証，身分証，社員証，学生証，園児や小学生等がピンやクリップで衣類にとめる名札等として利用することができる。
【００１７】
このような構成のＩＤカード１によれば、通信ゲートなどの大掛かりな外部機器を事前に設置することなく、また、所持者による操作を受け無くても、内部処理のみで表示を切り替えることができるので、コストや労力を抑えながら、所持者に意識させることなく必要な場所以外では個人情報を非表示にすることができ、個人情報の漏洩を防止することができる。
【００１８】
次に、本第１実施形態のＩＤカード１の概略構成について詳細に説明する。
【００１９】
ＩＤカード１は、所持者に関する個人情報を記憶した表示用情報記憶部１１と、この個人情報を表示する表示部１２と、予め設定された特定エリアの位置情報を記憶した表示条件記憶部１６と、測位衛星からの信号を順次受信する衛星信号受信機１３と、この受信信号に基づいて受信機１３の現在位置を演算する現在位置演算手段１４と、この現在位置が特定エリアの位置情報と一致するか否かを判定するエリア判定手段１５と、現在位置が特定エリアの位置情報と一致した場合に個人情報を表示部１２に表示し、当該特定エリアの位置情報と一致しなかった場合には個人情報を非表示にする表示切替手段１７と、オペレータからの指令を入力する入力部１８と、この入力部１８の入力に基づいて表示条件記憶部１６に記憶された特定エリアの位置情報を更新する更新制御手段１９とを備えている。
【００２０】
表示用情報記憶部１１は、所持者の個人情報を記憶している。所持者の個人情報には、氏名，顔写真，所属先情報（会社名，学校名，所属団体の電話番号など）などが含まれている。また、表示用情報記憶部１１は、所持者の個人情報だけではなく、個人情報と関係の無い他の情報を予め記憶した構成であってもよい。個人情報と異なる情報としては、例えば、所持者の緊急時の連絡先や、拾得者に対するメッセージなどがある。
【００２１】
表示部１２は、表示切替手段１６からの指令に従って情報記録部１１に記憶されている情報を表示する機能を備えている。この表示部１２は、表示内容を切り替え可能な構成であればよく、例えば、電子ペーパー，ＥＬディスプレイ，液晶ディスプレイなどの薄型ディスプレイである。
【００２２】
衛星信号受信機１３は、測位用の人工衛星である測位衛星から発信された無線信号を定期的に受信する機能を備えている。測位衛星には、例えば、ＧＰＳ（Global positioning system）衛星などがある。
【００２３】
現在位置演算手段１４は、衛星信号受信機１３によって定期的に受信される信号に基づいて、衛星信号受信機１３の現在位置座標を順次演算する機能を備えている。具体的には、複数の衛星から発信される電波の発信時刻と受信時刻から各衛星までの推定距離を計算し、各衛星の位置座標と各衛星までの距離を基に受信機の現在位置座標を算出する。
【００２４】
エリア判定手段１５は、現在位置演算手段１４により現在位置座標が算出されると、この現在位置座標が、表示条件記憶部１６に記憶された特定エリアの位置情報である座標範囲内に入っているか否かを判定する機能を備えている。
【００２５】
表示条件記憶部１６は、特定エリアの位置情報を予め記憶している。特定エリアの位置情報とは、施設内などの特定エリア内の位置を示す情報であり、特定エリアの位置を座標系の各成分の範囲で指定した情報である。
【００２６】
表示切替手段１７は、エリア判定手段１５による判定結果に応じて表示部１２の表示を切り替え制御する機能を備えており、現在位置が特定エリア内にあると判定された場合には表示用情報記憶部１１から所持者の個人情報を読み出して表示部１２に表示させ、現在位置が特定エリア内にないと判定された場合には所持者の個人情報を非表示にするように表示部１２を制御する。図２（Ａ）は、個人情報を表示したときの表示部１２の画面の一例を示す図であり、図２（Ｂ）は、個人情報を非表示にしたときの表示部１２の画面の一例を示す図である。
【００２７】
図２（Ａ）では、表示部１２の表示画面２００に、所持者が所属する会社名２０１と、社員番号２０２と、所持者の氏名２０３と、所持者の写真２０４とを表示している。図２（Ｂ）では、表示部１２の表示画面２０に何も表示していない。
【００２８】
また、本第１実施形態の表示切替手段１７は、個人情報を非表示にする際に、個人情報とは別の情報を表示用情報記憶部１１から読み出して表示させてもよい。この個人情報とは別の情報としては、例えば、所持者の緊急時の連絡先や、拾得者に対するメッセージなどがある。
【００２９】
入力部１８は、オペレータからの情報を入力する機能を備えている。この入力部１８は、オペレータからの情報を入力する構成であれば、例えば、キーパッドなどの入力装置に限らず、外部装置と回線接続してデータを入力する通信装置であってもよい。通信装置としては、RFID（Radio Frequency Identification）技術を用いた非接触通信を実行する装置などを採用する。
【００３０】
更新制御手段１９は、入力部１８に入力されたオペレータ指定の情報に基づいて表示条件記憶手段１６に記憶された特定エリアの位置情報を書き換える機能を備えている。これにより、異動や出張などで所持者の勤務地が変わる場合でも適応可能になる。また、この更新制御手段１９は、入力部１８に入力された情報に基づいて表示用情報記憶部１１に記憶された表示情報を書き換える機能を備えている。これにより、異なる所持者によって繰り返し使用されることが可能になる。
【００３１】
このように本第１実施形態のＩＤカード１は、衛星測位システムを利用して現在位置を観測する衛星信号受信機１３及び現在位置演算手段１４と、観測された現在位置が特定のエリア内の位置情報に合致するか否かを判定するエリア判定手段１５と、合致した場合に所持者の個人情報を表示部１２に表示し合致しない場合には個人情報を非表示とする表示切替手段１７とを備えた構成である。
【００３２】
よって、本第１実施形態のＩＤカード１によれば、現在位置が特定エリア内のときに個人情報を表示し特定エリア外のときは個人情報を非表示にすることができ、現在の位置に応じて表示内容を適宜自動的に切り替えるので、個人情報が部外者に漏洩するリスクを低減することができ、児童などの危機意識が低いものに対するセキュリティを容易に高め、社会全体のセキュリティ向上を図ることができる。また、ＩＤカード１を特定エリア外に落としても、個人情報が表示されないので、拾得者に悪用されることはない。
【００３３】
次に、本第１実施形態のＩＤカード１の動作について説明する。ここで、以下の動作説明は、本発明の表示切替方法の実施形態となる。
【００３４】
図３は、本第１実施形態のＩＤカード１の動作を示すフローチャートである。図３に示すように、本実施形態のＩＤカード１では、まず、入力部１８にオペレータからの特定エリア更新指令が入力された場合に（図３のステップＳ３１のはい）、更新制御手段１９が、表示条件記憶部１６に記憶された特定エリアの位置情報を指令に基づいて書き換える（図３のステップＳ３２）。
【００３５】
そして、まず、衛星信号受信機１３が測位衛星からの無線信号を定期的に受信し（図３のステップＳ３３）、この受信された信号に基づいて衛星信号受信機１３の現在位置を現在位置演算手段１４が計算する（図３のステップＳ３４）。
【００３６】
続いて、この計算された現在位置が表示条件記憶部１６に登録された特定エリアの位置情報と合致するか否かをエリア判定手段１５が判定し（図３のステップＳ３５）、合致すると判定された場合に表示切替手段１７が、表示用情報記憶部１１から個人情報を読み出して、表示部１２に対して個人情報の表示を指示し、表示部１２が表示切替手段１７からの指示に従って個人情報を表示する（図３のステップＳ３６）。
【００３７】
一方、現在位置が特定エリアの位置情報を満たしていないと判定された場合、表示切替手段１７が、表示部１２に対して個人情報の非表示を指示し、表示部１２が、表示切替手段１７からの指示に従って、個人情報を非表示にする（図３のステップＳ３７）。この個人情報を非表示にする際には、個人情報とは別の情報を表示するようにしてもよい。
【００３８】
このように本第１実施形態のＩＤカード１は、測位衛星からの信号に基づいて現在位置を測定し、現在位置が予め設定された特定エリア内にあるか否かを判定し、現在位置が特定エリア内にある場合には予め記憶された所持者の個人情報を表示し、現在位置が特定エリア内にない場合には個人情報を非表示にする。
【００３９】
これにより、部外者への個人情報の漏洩を防止することができ、子供など危機意識が低いもののセキュリティを容易に高めることができ、社会全体のセキュリティ向上を図ることができる。
【００４０】
ここで、上述した現在位置演算手段１４，エリア判定手段１５，表示切替手段１７については、その機能内容をプログラム化して、コンピュータに実行させるように構成してもよい。
【００４１】
また、上述した表示条件記憶部１６は、２つ以上のエリアの位置情報を予め記憶してもよく、表示用情報記憶部１１が、各エリア毎に表示する情報を記憶し、エリア判定手段１５は、現在位置がどのエリアと一致するかを判定する機能を備え、表示切替手段１７は、現在位置と一致するエリアに対応する情報を表示部１２に表示させるように構成してもよい。
【００４２】
例えば、学校内をエリアＡ、自宅内をエリアＢとして各位置情報を予め設定し、現在位置がエリアＡ（学校内）である場合には、所持者の氏名，血液型，学校名などの個人情報を表示し、エリアＢ（自宅内）である場合には現時刻情報（時計）を表示し、それ以外のエリアにある場合には学校名及び学校の電話番号などの緊急連絡先を表示するようにするなど、複数のエリア毎に表示内容を切り替えるようにしてもよい。このように、学校外では緊急連絡先を表示するようにすることで、防犯対策にもなる。
【００４３】
以上のように、本第１実施形態のＩＤカード１は、衛星測位システムを利用して現在位置を観測し、現在位置が予め設定された特定エリア内にあるか否かを判定し、現在位置が特定エリアにある場合に個人情報を表示し、現在位置が特定エリア外にある場合には個人情報を非表示にするため、例えば、学校敷地内を特定エリアに設定すれば、本願実施形態のＩＤカードを名札として身につけた児童が学校敷地内に登校してきた場合、ＩＤカード１は、児童の身分を証明する内容（学校名、氏名、血液型）を表示し、下校時に学校の敷地から出た場合、緊急時の連絡先（学校名、電話番号）に表示を切り替える。
【００４４】
従って、本第１実施形態のＩＤカード１によれば、通信ゲートなどの大掛かりな外部機器を事前に設置することなく、また、所持者による操作を受け無くても、内部処理のみで表示を切り替えることができるので、コストや労力を抑えながら、所持者に手間を取らせることなく、個人情報を非表示に切り替えることができ、よって、個人情報が想定外の第三者へ漏洩することを防止し、紛失等の際にも個人情報を不正利用されることを防止することができる。特に、本第１実施形態のＩＤカード１を児童の名札として用いれば、児童の氏名が不特定多数の部外者に知られることは無くなるので、児童が犯罪に巻き込まれる確率を減らすことができる。
【００４５】
次に、本発明の第２実施形態について説明する。
【００４６】
図４は、本第２実施形態のＩＤカード４の概略構成を示す機能ブロック図である。図４では、上述した第１実施形態のＩＤカード１と同一の構成要素に対して図１と同じ符号を付している。
【００４７】
図４に示すように、本第２実施形態のＩＤカード４は、上述した第１実施形態のＩＤカード１における衛星信号受信機１３及び現在位置演算手段１４に代えて、現在の時刻を示す時計部４１を備えた構成である。
【００４８】
表示条件記憶部４６は、所持者が特定エリア内に居る予定の時間帯として設定された特定の時間帯を記憶しており、エリア判定手段４５は、現在時刻が特定の時間帯であるか否かを判断して現在位置が特定エリア内であるか否かを判定する機能を備え、表示切替手段１７は、現在時刻が特定の時間帯であると判断された場合に所持者の個人情報を表示部１２に表示し、現在時刻が特定の時間帯でないと判断された場合には個人情報を非表示にする機能を備えている。
【００４９】
例えば、特定の時間帯を「８時３０分〜１７時３０分」に設定して表示条件記憶部４６に登録した場合、時刻が８時３０分になったときに個人情報の表示を開始し、時刻が１７時３０分になった時に個人情報を非表示にして切り替えて別の情報を表示する。
【００５０】
また、本第２実施形態の表示条件記憶部４６は、２つ以上の時間帯を予め記憶してもよく、表示用情報記憶部１１が、各時間帯毎に表示情報を記憶し、エリア判定手段４５は、現在時刻がどの時間帯と一致するかを判定する機能を備え、表示切替手段１７は、現在時刻と一致する時間帯に対応する情報を表示部１２に表示させるように構成してもよい。
【００５１】
例えば、本第２実施形態のＩＤカード４を児童の名札として用いた場合に、表示条件記憶部４６は、所持者である児童が学校にいる時間帯として「時間帯Ａ：８時３０分〜１７時３０分」、登下校中の時間帯として「時間帯Ｂ：６時００分〜８時３０分，１７時３０分〜２１時００分」、自宅にいる時間帯として「時間帯Ｃ：２１時００分〜６時００分」を予め記憶し、表示用情報記憶部１１は、時間帯Ａに対応する表示情報として学校名、氏名、血液型などの個人情報、時間帯Ｂに対応する表示情報として学校名と学校の連絡先を予め記憶し、表示切替手段１７は、８時３０分〜１７時３０分の間には学校名、氏名、血液型などの個人情報を表示部１２に表示し、６時００分〜８時３０分及び１７時３０分〜２１時００分の間には学校名と学校の連絡先を表示部１２に表示し、２１時００分〜６時００分の間には時刻（時計の画像）を表示するような構成であってもよい。
【００５２】
本第２実施形態のＩＤカード４によれば、所持者が特定エリア内に居る予定の時間帯にだけ個人情報を表示するので、上述した第１実施形態と同様に、個人情報が部外者に漏洩するリスクを低減することができ、児童など危機意識が低いものに対するセキュリティを容易に高めて、社会全体のセキュリティ向上を図ることができる。
【００５３】
次に、本第２実施形態のＩＤカード４の動作について説明する。
【００５４】
図５は、本第２実施形態のＩＤカード４の動作を示すフローチャートである。図４に示すように、本実施形態のＩＤカード４では、入力部１８にオペレータからの特定エリア更新指令が入力された場合に（図５のステップＳ５１のはい）、更新制御手段１９が、表示条件記憶部１６に記憶された特定エリアの位置情報を指令に基づいて書き換える（図５のステップＳ５２）。
【００５５】
そして、まず、時計部４１が示す現在時刻をエリア判定手段４５が入力し（図５のステップＳ５３）、現時刻が表示条件記憶部４６に予め登録された特定の時間帯に入っている否かをエリア判定手段４５が判定し（図５のステップＳ５４）、特定の時間帯であると判定された場合に表示切替手段１７が表示用情報記憶部１１から個人情報を読み出して表示部１２に対して個人情報の表示を指示し、表示部１２が表示切替手段１７からの指示に従って個人情報を表示する（図５のステップＳ５５）。
【００５６】
一方、現在時刻が特定の時間帯ではないと判定された場合、表示切替手段１７が、表示部１２に対して個人情報の非表示を指示し、表示部１２が、表示切替手段１７からの指示に従って、個人情報を非表示にする（図５のステップＳ５６）。この個人情報を非表示にする際には、個人情報とは別の情報を表示するようにしてもよい。
【００５７】
このように本第２実施形態のＩＤカード４は、現在の時刻が特定エリア内にいる予定の時間帯に入ったときに所持者の個人情報を表示し、特定の時間帯ではないときには、個人情報を非表示にする。
【００５８】
従って、本第２実施形態のＩＤカード４によれば、上述した第１実施形態と同様に、通信ゲートなどの大掛かりな外部機器を必要とせずに、内部処理のみで表示を切り替えることができるので、かかるコストや労力を抑えながら、所持者による操作を受け無くても不要な場所で個人情報を非表示に切り替えることができる。よって、所持者に意識させることなく、個人情報が想定外の第三者へ漏洩することを防止することができる。
【００５９】
上記各実施形態における新規な技術的内容の要点を、以下の付記に示す。尚、上記の各実施形態の一部又は全部は、以下に記載した内容にまとめられるが、本発明は必ずしもこれに限定されるものではない。
【００６０】
［付記１］所持者の氏名を含む個人情報を記憶した表示用情報記憶部と、この個人情報を表示する表示部とを備えたＩＤカードであって、前記個人情報の提示が必要な場所として予め設定された特定エリアの位置情報を記憶した表示条件記憶部と、測位衛星から発信される信号を順次受信する衛星信号受信機と、この受信機に受信された信号に基づいて当該受信機の現在位置を演算する現在位置演算手段と、この現在位置が前記特定エリアの位置情報と一致するか否かを判定するエリア判定手段と、この判定結果に基づいて前記表示部の表示を切替制御する表示切替手段とを備え、前記表示切替手段は、前記現在位置が前記特定エリアの位置情報と一致した場合に前記個人情報を前記表示部に表示すると共に前記現在位置が前記特定エリアの位置情報と一致しなかった場合には前記個人情報を非表示にする機能を備えたことを特徴とするＩＤカード。
［付記２］付記１に記載のＩＤカードにおいて、前記表示用情報記憶部が、前記特定エリア以外の場所で前記表示部に表示する情報として、前記個人情報と関係の無い他の情報を予め記憶しており、前記表示切替手段は、前記現在位置が前記特定エリアの位置情報と一致しなかった場合に前記個人情報を非表示にして、前記個人情報と関係の無い他の情報を表示部に表示することを特徴とするＩＤカード。
［付記３］付記２に記載のＩＤカードにおいて、前記表示条件記憶部に記憶された前記特定エリアの位置情報をオペレータからの入力に基づいて更新する更新制御手段を備えたことを特徴とするＩＤカード。
［付記４］付記３に記載のＩＤカードにおいて、前記衛星信号受信機及び現在位置演算手段に代えて、現在の時刻を示す時計部を備え、前記条件記憶は、前記所持者が前記特定エリア内に居る予定の時間帯として予め設定された特定の時間帯を示す情報を記憶し、前記エリア判定手段は、前記現在時刻が前記特定の時間帯になったか否かを判断し、その判断結果から現在位置が前記特定エリア内であるか否かを判定することを特徴とするＩＤカード。
［付記５］所持者の氏名を含む個人情報を表示するＩＤカードにあって、測位衛星から発信される信号を順次受信しこの受信信号に基づいて現在位置を演算し、この現在位置が予め設定された特定エリアの位置情報と一致するか否かを判定し、前記現在位置が前記特定エリアの位置情報と一致した場合に前記個人情報を表示し、前記現在位置が前記特定エリアの位置情報と一致しなかった場合には前記個人情報を非表示にすることを特徴とする表示切替方法。
［付記６］付記５に記載の表示切替方法において、前記個人情報を非表示にする際に、当該前記個人情報と関係の無い他の情報を表示することを特徴とする表示切替方法。
［付記７］付記６に記載の表示切替方法において、前記予め設定された特定エリアの位置情報をオペレータからの入力に基づいて更新することを特徴とする表示切替方法。
［付記８］付記７に記載の表示切替方法において、測位衛星からの信号を受信し現在位置を演算する代わりに、現在の時刻を検出し、前記現在位置が前記特定エリアの位置情報と一致するか否かを判定する代わりに、前記特定エリア内に前記所持者が居る予定の時間帯として設定された特定の時間帯になったか否かを判断しその判断結果から現在位置が前記特定エリア内であるか否かを判定することを特徴とする表示切替方法。
［付記９］所持者の氏名を含む個人情報を画面に表示するＩＤカードの表示切替動作を制御するコンピュータに、前記ＩＤカードに内蔵された受信機が測位衛星から受信した信号に基づいて当該受信機の現在位置を演算する現在位置演算機能と、この現在位置が予め設定された特定エリアの位置情報と一致するか否かを判定する判定機能と、前記現在位置が前記特定エリアの位置情報と一致した場合に前記個人情報を表示し、前記現在位置が前記特定エリアの位置情報と一致しなかった場合に前記個人情報を非表示にする表示切替機能とを実行させることを特徴とする表示切替用プログラム。
［付記１０］付記９に記載の表示切替用プログラムにおいて、前記表示切替機能が、前記個人情報を非表示にする際に、当該前記個人情報と関係の無い他の情報を表示する機能であることを特徴とする表示切替用プログラム。
［付記１１］付記１０に記載の表示切替用プログラムにおいて、前記予め設定された特定エリアの位置情報をオペレータからの入力に基づいて更新する更新機能を前記コンピュータに実行させることを特徴とする表示切替用プログラム。
［付記１２］付記１１に記載の表示切替用プログラムにおいて、前記現在位置演算機能及び判定機能に代えて、現在の時刻を示す時計機能と、前記特定エリア内に前記所持者が居る予定の時間帯として設定された特定の時間帯になったか否かを判断しこの判断結果から現在位置が特定エリア内であるか否かを判定する判定機能とを、前記コンピュータに実行させることを特徴とする表示切替用プログラム。
【産業上の利用可能性】
【００６１】
本発明は、入館証，身分証，社員証，学生証，園児や小学生等が衣類にとめる名札として利用可能である。
【符号の説明】
【００６２】
１，４  ＩＤカード
１１  表示用情報記憶部
１２  表示部
１３  衛星信号受信機
１４  現在位置演算手段
１５，４５  エリア判定手段
１６，４６  表示条件記憶部
１７  表示切替手段
４１  時計部
２００  表示画面
２０１  所持者の所属会社名
２０２  保持者の社員番号
２０３  所持者の氏名
２０４  所持者の顔写真
【図１】
2011175388.tif 000003
【図２】
2011175388.tif 000004
【図３】
2011175388.tif 000005
【図４】
2011175388.tif 000006
【図５】
2011175388.tif 000007